Podtech/llm-jp-corpus-v4-ja_patent huggingface dataset:
(57)【要約】      （修正有）【課題】パット入れに入れる必要が無く、ブラジャー等のカップ内に置くだけでパットがズレないパットを提供する。【解決手段】パットの人体と密着するの面とは反対側の面に滑り止め部材を接着する。滑り止め部材は点状に接着し、接着する箇所は特に限定しない。又、形状、形態は種々のものが採用可能で、特に限定されない。【選択図】図１
2007308858.tif 000002
【特許請求の範囲】
【請求項１】
ブラジャー等に使用されるパットで人体と密着する面とは反対側の面に滑り止め部材を接着した事を特徴とするパット。
【発明の詳細な説明】
【発明の詳細な説明】
【発明の分野】
【０００１】  この発明は、パットに関する。
【背景技術】
【０００２】  既存しているブラジャー等のパットはパット入れにパットを入れるタイプの物がほとんどだった。その為、ブラジャーの品番毎にパット入れに合う大きさの専用のパットを作らなければならなかった。またパット入れの位置が決まっている為、胸を寄せたり上げたりする自由が利かなかった。例えばパット入れがブラジャー等のカップ内の下側に付いている場合、胸を上げることしか出来ず、パットをブラジャー等のカップ内の外側に置くことによって胸を寄せることが出来なかった。また単品売りのパットでは大きさがブラジャーのパット入れより大きかったりするとパットが入らない場合があった。その為、パット入れにパットを入れずに使用するため、着用後、パットがズレて困っていた。
【発明の課題】
【０００３】  本発明はパット入れにパットを入れなくてもズレないパットを開発することである。
【課題の解決手段】
【０００４】  上記課題を解決するために、本発明は、パットの人体と密着するの面とは反対側の面に滑り止め部材を接着する。
【実施の形態】
【０００５】  本発明の実施の形態の一例を添付図面に基いて説明する。
【０００６】  図１に示すようにパットに滑り止め部材を点状に接着する。滑り止め部材を接着する箇所は何処でも構わない。滑り止め部材の形状や形態は種々のものが採用され得、特に限定されるものではない。例えば波状に滑り止め部材を接着しても構わないし、スプレー等で霧状に滑り止め部材を吹き付けても構わない。また滑り止め材質は、ラテックスやシリコンやポリウレタン、アクリル、オレフィンを用いるがそれに限定されるものではない。言うまでも無いがそれらの材質は樹脂状の物を含む。滑り止め部材はカブレ等のない材質で、また異物としての違和感がないように点の大きさ、厚さ等も適切なものが望ましい。さらに滑り止め部材は長期間の使用に耐えるものでなければならない。また滑り止め部材の変わりに特開２００２−１１５１５６の様な滑り止めの生地状の部材を人体と密着するの面とは反対側の面に滑り止め効果のある面が向くように接着し使用してもかまわない。
【発明の効果】
【０００７】  本発明のパットを使用するとパットがズレない為、パットをパット入れに入れる必要が無くなった。また自由な位置にパットを設置できる為、胸寄せたり上げたり自由自在に操れるようになり上記問題を解決するパットが出来た。
【図面の簡単な説明】
【０００８】
【図１】  この発明のパットの一例の斜視図
【符号の説明】
【０００９】  １  滑り止め部材
２  パット
【図１】
2007308858.tif 000003
(57)【要約】【課題】  本発明は、食事のときにひざの上にかけて服の汚れを防ぐために工夫したもので、大きさはハンカチより大きめのサイズで座ったときに、腹部からひざの上までカバーができるひざかけである。服に固定するクリップなどの係止具を付けているので落ちたり、外れたりする心配もない。着物を着ていて、急に雨が降ってきたときに、帯の太鼓にかければ汚れを防ぐことができる。携帯できるので、バッグや大切な所持品を急な雨や汚れから防ぐことができる。旅行などをするときに便利なひざかけを提供する。【解決手段】  防水加工を施した任意形状のひざかけ（１）の一辺に係止具（２）を設け、ひざかけ（１）の任意の位置に刺繍（３）を施したことを特徴とするひざかけ。【選択図】図１
2007308851.tif 000002
【特許請求の範囲】
【請求項１】
防水加工を施した任意形状のひざかけ（１）の一辺に係止具（２）を設け、ひざかけ（１）の任意の位置に刺繍（３）を施したことを特徴とするひざかけ。
【発明の詳細な説明】
【技術分野】
【０００１】  本発明は、食事のときにひざの上にかけて服の汚れを防ぐために工夫したもので、大きさはハンカチより大きめのサイズで座ったときに、腹部からひざの上までカバーができるように工夫したひざかけである。
服に固定するクリップなどの係止具を付けているので落ちたり、外れたりする心配もない。
着物を着ていて、急に雨が降ってきたときに、帯の太鼓にかければ汚れを防ぐことができる。
携帯できるので、高価なバッグや大切な所持品にかけて、雨や汚れを防ぐことができる。
飲食店などで、所持品のカバーとして、覆っておくことができる。
旅行などをするときに便利なひざかけに関するものである。
【背景技術】
【０００２】  従来は、所持品の中から適当な物を選び出して、たとえば、ハンカチなどをひざの上にかけたり、載せたりしていた。
ところが、席を移動したりして、身体を動かすと、ハンカチが落ちたりしていた。
ひざの上にかけたもの、載せたものを汚してしまって洗濯代が嵩んでしまうこともあった。
高価なバッグなどの所持品を、急な雨や飲食店で汚してしまうことがあった。
【発明の開示】
【発明が解決しようとする課題】
【０００３】  そのためつぎのような問題があった。
席を移動したりして、身体を動かしたとき、ひざから落ちたり、ひざから外れないように工夫したひざかけはみあたらなかった。
所持品をカバーでき、さらにカバーを固定できるものはなかった。
携帯に便利なひざかけはみあたらなかった。
【課題を解決するための手段】
【０００４】  防水加工を施した任意形状のひざかけ（１）の一辺に係止具（２）を設け、ひざかけ（１）の任意の位置に刺繍（３）を施す。
以上のように構成されたひざかけである。
【発明の効果】
【０００５】  本発明のひざかけは、ハンカチより大きめのサイズなので、座ったときに、腹部から膝の上までをカバーできる。
食事のときにひざの上にかけて汚れを防ぐことができる。
服に固定するクリップなどの係止具を付けているので、席を移動したりして、身体を動かしても、ひざかけが落ちる心配がない。
防水加工がしてあるので汚れても服にしみる心配がない。
洗濯機でネットに入れ、手洗いコースで洗濯できるので扱い易い。
ひざかけの色を何色かそろえれば、服の色に合わせられる。
着物を着て、外出しているとき、急に雨がふってきても、帯の太鼓にかけると汚れを防ぐことができる。
高価なバッグや大切な所持品などを、急な雨や飲食店などで汚す心配がなくなる。
エレガントな刺繍を施してあるので、普段着から正装まで使えるので、使う機会も多い。
病気の際、入院中や自宅静養中、寝床での食事時に寝巻きを汚す心配がない。
このように、幅広い用途として使える。
【発明を実施するための最良の形態】
【０００６】  以下、本発明の実施の形態について説明する。
防水加工を施した任意形状のひざかけ（１）の一辺に係止具（２）を設け、ひざかけ（１）の任意の位置に刺繍（３）を施したことを特徴とするひざかけである。
以上のように構成されたひざかけである。
本発明は、食事のときにひざの上にかけて服の汚れを防ぐために使用する。
本発明のひざかけは、大きさはハンカチより大きめのサイズなので、座ったときに、腹部からひざの上までカバーができる。
服に固定するクリップなどの係止具を付けているので、席を移動しても、本発明のひざかけが落ちたり、外れたりする心配もない。
着物を着て、外出しているとき、急に雨が降ってきても、帯の太鼓にかければ汚れを防ぐことができる。
高価なバッグや大切な所持品などを、急な雨や飲食店などで汚す心配がなくなる。
携帯できるので、外出するときだけでなく、旅行などをするときに便利なひざかけである。
介護施設などで食事をするときに使用してもらえば、刺繍を施しているので、雰囲気が華やかで、気分も良く食事の時間、全体の雰囲気を和ませてくれる。
【図面の簡単な説明】
【０００７】
【図１】  本発明の平面図である。
【符号の説明】
【０００８】    １  ひざかけ
２  係止具
３  刺繍
【図１】
2007308851.tif 000003
(57)【要約】      （修正有）【課題】  暑いとき衿元を開け、ネクタイをポケットに挟むプチタイを提供する。【解決手段】  ネクタイにおいて、ネクタイの長さを短くし、そのネクタイを半分に折って胸ポケットに挟み入れるように工夫したことを特徴とするプチネクタイ。【選択図】図４
2007308853.tif 000002
【特許請求の範囲】
【請求項１】
ネクタイにおいて、ネクタイの長さを短くし、そのネクタイを半分に折って胸ポケットに挟み入れるように工夫したことを特徴とするプチネクタイ。
【発明の詳細な説明】
【技術分野】
【０００１】  本発明は、夏の暑いとき、ワイシャツのポケットへ二つ折りしたネクタイを挟んだプチタイに関するものである
【背景技術】
【０００２】  地球温暖化にともないクールビズも奨励され初めましたが、ネクタイの取り外しはとても煩わしいものです。
【発明の開示】
【発明が解決しようとする課題】
【０００３】  そのために、次のような問題点があった。
（イ）暑いときネクタイを緩めボタンも外すが、対応のとき又ボタンをかけネクタイを締め直す、この手間と煩わしさがあった。
（ロ）外したネクタイの置き場所に困る。
本発明は、これらの問題点を解決するためになされたものである。
【課題を解決するための手段】
【０００４】  ネクタイにおいて、ネクタイの長さを短くし、そのネクタイを半分に折って胸ポケットに挟み入れるように工夫したことを特徴とするプチネクタイ。
【発明の効果】
【０００５】  一度ポケットに挟みネクタイピン等で止めると、着脱の煩わしさがない、したがって外したネクタイの置き場所に困ることもない。
また、対応のときでもネクタイをつけて居るので失礼にならない。
【発明を実施するための最良の形態】
【０００６】  以下、本発明の実施の形態について説明する。
（イ）表地（１）の裏へ芯になる布をつける。
（ロ）剣先（５）の三角形の所へ裏地（２）をつける。
（ハ）両側を縫い合わせ筒状にし、もう一方の端（６）の直線を縫い合わせる。
本発明は以上のような仕立てになっている。
本発明を使用するときは、端（６）の方からポケットへ半分ほど入れ剣先（５）は外へ出す。ずれないようにネクタイピン等で止める。
【図面の簡単な説明】
【０００７】
【図１】本発明の正面図
【図２】本発明の裏面図
【図３】本発明の断面図
【図４】本発明の実施例を示す正面図
【符号の説明】
【０００８】    １  表地
２  裏地
３  芯
４  合わせ目
５  剣先
６  端
【図１】
2007308853.tif 000003
【図２】
2007308853.tif 000004
【図３】
2007308853.tif 000005
【図４】
2007308853.tif 000006
(57)【要約】【課題】テレビの変身ものに見られる瞬間（的）変身。今までのシャツ・インナーでは現実にはしにくかった。【解決手段】シャツ・インナーに穴を空ける。そして、特願２００５−４１２５６のヒーロー瞬間変身法を用いる。【選択図】図１
2007308856.tif 000002
【特許請求の範囲】
【請求項１】
胸側に穴が空いていることを特徴とするシャツ・インナー。
【請求項２】
背中側に穴が空いていることを特徴とするシャツ・インナー。
【発明の詳細な説明】
【技術分野】
【０００１】  この発明は、衣服の形状に関する。
【背景技術】
【０００２】  従来の衣服のシャツ・インナーの形状は、図２に示すように、胸側にも背中側にも穴が空いていないものである。
【発明の開示】
【発明が解決しようとする課題】
【０００３】  しかしながら、以上の技術によれば、特願２００５−４１２５６のヒーロー瞬間変身法を用いても瞬間変身しづらかった。
そこで、この発明は、瞬間変身しやすくすることを課題とする。
【課題を解決するための手段】
【０００４】  以上の課題を解決するために、発明は、シャツ・インナーの胸側に穴を空けたことを特徴とするシャツ・インナーである。
【発明の効果】
【０００５】  発明によれば、瞬間変身が大変しやすくなる。なお、瞬間変身の方法は、特願２００５−４１２５６のヒーロー瞬間変身法を用いる。
【発明を実施するための最良の形態】
【０００６】  この発明の一実施形態を、図１に示す。
シャツ・インナーの本体１は布製であり、この本体１の胸側には、穴が設けられている。【０００７】「実施形態の効果」
この実施形態によれば、特願２００５−４１２５６のヒーロー瞬間変身法を用いる時、瞬間変身しやすい。ヒーロー瞬間変身法では、一番下に着ている服の首輪部分を足の指または足に固定する、とある。瞬間変身シャツはこの場合の一番下に着ている服になる。首輪部分を足の指または足に固定する際、足の指を穴に入れれば大変固定しやすい。よって瞬間変身しやすくなる。【０００８】「他の実施形態」
図１の実施形態では、穴の形は四角形であったが、穴の形はどんな形でも良い。
【図面の簡単な説明】
【０００９】
【図１】この発明の一実施形態を示すシャツ・インナーの正面図である。
【図２】従来技術を示す正面図である。
【図１】
2007308856.tif 000003
【図２】
2007308856.tif 000004
(57)【要約】【課題】  ネクタイピン等のネクタイ留めの使用がなくてもネクタイ留めをしたかのように襟元から弧を描き、膨らみを持たせた形状を作る事の出来るネクタイ。【解決手段】ネクタイピン等のネクタイ留めの代わりとして、ネクタイの幅の広い部分の裏側にフック又はフック受けを取り付け、幅の狭い部分の表側にフック又はフック受けを取り付ける。【選択図】図１
2007308859.tif 000002
【特許請求の範囲】
【請求項１】
ネクタイ本体にフックとそれを受けるフック受けを取り付けたネクタイ。
【発明の詳細な説明】
【技術分野】
【０００１】  この発明は、フック及びフック受けをネクタイに組み込んだネクタイに関するものである。
【背景技術】
【０００２】  従来、ネクタイに膨らみを持たせた締め方をする為にはネクタイ留めを必要とした。
【発明の開示】
【発明が解決しようとする課題】
【０００３】  ネクタイピン等のネクタイ留めの使用をしないと、襟元からネクタイ留めの間まで弧を描き膨らみを持たせた形状を保って締める事が出来なかった。
本発明は、その欠点を無くし、ネクタイ留めが無くても、弧を描き膨らみを持たせた形状が得られるネクタイである。
【課題を解決するための手段】
【０００４】  ネクタイを締めた時、表に現れる幅の広い部分とその奥に隠れる幅の狭い部分がありますが、表に現れる部分の裏側にフック又はフック受けを取り付け、その奥に隠れる幅の狭い部分の表側にフック又はフック受けを取り付ける事により課題を解決した。
本発明は、フックをフック受けに掛ける事により、ネクタイ留めを使用したように弧を描き膨らみを持たせた形状が得られるネクタイである。
【発明の効果】
【０００５】  本発明はこのような構成なので、ネクタイピン等のネクタイ留めを使用しなくても、フックを掛ける事により弧を描くように膨らみを持たせた状態と、又、フックを外すことによりそうでない状態とが出来、時々により双方を自由に選択する事が出来る。
【発明を実施するための最良の形態】
【０００６】  以下、本案の実施の形態について説明する。
ネクタイ本体の幅の広い部分の裏側にフック（２）又はフック受け（３）の何れかを取り付け、幅の狭い部分の表側にフック（２）又はフック受け（３）の何れかを取り付ける、フックを掛ける事により弧を描くように膨らみを持たせた形状が得られるネクタイである。
【図面の簡単な説明】
【０００７】
【図１】  本発明のフックとフック受けの取り付け図である。
【図２】  本発明の使用図である。
【符号の説明】
【０００８】    １  ネクタイ    ２  フック    ３  フック受け    ４  ワイシャツの襟
【図１】
2007308859.tif 000003
【図２】
2007308859.tif 000004
(57)【要約】【課題】本発明は、交通整理中前方を、注意しながら、後方の注意を怠らない様にするためである。【手段】ハットミラー（１）の鏡面（２）を利用する人物の目線に合わせて、保護帽（６）の鍔（５）に蝶番（４）を、フック（７）で取り付け蝶番（４）で角度調整する。【選択図】図１
2007308860.tif 000002
【特許請求の範囲】
【請求項１】
使用する保護帽（６）の鍔（５）に、ハットミラー（１）を取り付けた物です。
【請求項２】
ハットミラー（１）は、顔の前面にハットミラー（１）の鏡面（２）を顔面に向け、後方を確認する物です。
【請求項３】
此のハットミラー（１）の材質は、ポリカーポネート樹脂（３）で、折れにくい。鏡面（２）は、アルミ蒸着で割れにくい。
【発明の詳細な説明】
【発明の詳細な説明】
【技術分野】
【０００１】此の発明は、いかに正面の視野に影響なく後方を確認する事が出来るか
【背景技術】
【０００２】従来は発想のみで適応出来る部材が見当たらなく、今日に至る。今日理想の部材出現に依り発明に着手した。【０００３】
【特許文献１】「ＰＡＴ．Ｐ」必要の無い時は、ハットミラー（１）を、水平に起こすだけで良い。
【発明が解決しょうとする課題】
【０００４】前方から一時も目を離されない時、一瞬上目でハットミラー（１）を見るだけで、後方を確認し対応することが出来る。
【課題を解決する手段】
【０００５】ハットミラー（１）を、用途に合せ、蝶番（４）を利用し、上下に操作し見やすくして使う。
【発明を実施するための最良の形態】
【０００６】▲イ▼ハットミラー（１）は、市販されている部材を組み合せ改良して製品にしました。
▲ロ▼蝶番（４）は、ステンレス製で、雨にも強く耐久性がある。
▲ハ▼蝶番（４）は、フック（７）と共板で保護帽（６）の鍔（５）にワンタッチで取り付けが出来ます。
▲ニ▼ハットミラー（１）が必要で無い時は、ワンタッチで簡単に取り外しが可能です。
【発明の効果】
【０００７】一搬に（イ）警備員（ロ）ガードマン（ハ）守衛▲ニ▼警察官等の交通安全整理に効果がある。
【図面の簡単な説明】
【図１】本発明の斜視図
【図２】本発明の要部拡大の正面図
【図３】本発明の要部拡大の背面図
【図４】本発明の要部拡大の断面図
【符号の説明】
（１）ハットミラー  （２）鏡面  （３）ポリカーポネート樹脂  （４）蝶番  （５）鍔  （６）保護帽  （７）蝶番取り付け用フック
【図１】
2007308860.tif 000003
【図２】
2007308860.tif 000004
【図３】
2007308860.tif 000005
【図４】
2007308860.tif 000006
(57)【要約】      （修正有）【課題】廃棄牛乳及び余剰牛乳を有効利用して、農業生産において植物の成長を促すとともに土壌微生物環境の改善、植物の葉、茎などに付着する害虫の駆除と堆肥製造の際の醗酵促進に有効な乳酸発酵物を提供する。【解決手段】廃棄牛乳及び余剰牛乳に卵白と乳酸菌を添加し乳酸発酵を行うことにより生成されるアミノ酸成分と低分子ペプチド成分を粉末状又は液体状に加工する。【選択図】なし【特許請求の範囲】
【請求項１】
廃棄牛乳及び余剰牛乳（余剰ヨーグルト類を含む）に卵白と乳酸菌を添加し、乳酸発酵を行うことで、アミノ酸成分と低分子ペプチド成分を含む物質が生成する。さらに、生成された物質の水分を加熱及び天日乾燥をさせ、固体形状に変化させたものを、ミキサーを用いて粉末状に加工することで本発明物質が形成される。
アミノ酸成分は、主に植物の成長過程における養分的作用に用いられるとともに低分子ペプチド成分は、土壌内の微生物環境改善作用に用いられる。
【請求項２】
廃棄牛乳及び余剰牛乳（余剰ヨーグルト類を含む）に卵白と乳酸菌を添加し、乳酸発酵を行うことで、アミノ酸成分と低分子ペプチド成分を含む物質が生成される。さらに、生成された液体物質に、発酵抑制剤を添加することで、商品として、容器内での活性を抑えるものである。
以上の方法で生成された液体物質は、植物の養分的成長効果と害虫防除効果を有する、などの機能を持っている。
本液体物質の効果作用は、特許請求項１に同じであるが、液体にすることで、農作物栽培に伴う実施の際、追肥過程及び葉面散布などの使用過程において粉末では出来ないことが可能になる、などの特徴を持っている。
また、葉面散布においては、発酵過程で生成される有機酸や低分子ペプチド（抗生物質）などの成分作用により植物の、葉、茎、などに付着する害虫を駆除する働きをする。
【請求項３】
請求項１と２の物質は、たい肥製造工程において添加物として添加することで、更なる発酵の促進を促すとともに成分量の多い良質たい肥の精製に関与するものである。
【発明の詳細な説明】
【技術分野】
【０００１】  本発明は、廃棄及び余剰牛乳を乳酸発酵することで、生成する成分を有効活用する目的に開発されたものである。【０００２】  本方法は、ヨーグルト成分の特徴でもある、栄養素的作用と微生物環境改善作用を利用して、植物の成長と味覚の向上を得るとともに土壌内の微生物環境の改善を行う、などの効果を得る方法である。
【特許文献】  本発明に類似した文献を調べましたが、発見には至りませんでした。したがって、類意した発明はないものと考える。
【発明の開示】
【発明が解決しようとする課題】
【０００３】  本方法は、廃棄牛乳の再利用を目的に開発されたものですが、最近になって、余剰牛乳の問題も関係してきました。したがって、高カロリー的牛乳成分の有効活用を目的にしたものである。
［課題を解消するための手段］【０００４】  先ず、本方法は、廃棄処分される牛乳に卵白と乳酸菌を添加して、乳酸発酵を行うことで、アミノ酸成分を生成させるとともに乳酸球菌、乳酸桿菌からの作用で生成される低分子ペプチド（各種の抗生物質）が生成される。アミノ酸成分は主に植物の成長と味覚の向上に用い、低分子ペプチドは、その抗菌及び拮抗作用を利用して、土壌内の微生物環境改善を行うものである。
【発明の効果】
【０００５】  廃棄牛乳を原料として、農作物の養分的成長効果と土壌環境改善効果を目的とした本方法を実施することで、廃棄物量の削減に繋がるとともに、資源の有効活用に貢献できる。などの特長を持った方法です。
【発明を実施するための最良の形態】
【０００６】  本方法を実施するにあたって、廃棄及び余剰牛乳を移動することはコスト面から言っても不経済なことになります。したがって、各地域の牛乳が排出されるところで、それぞれ生産し、消費されることが望ましいと考えます。
【実施例】
【０００７】  先ず、集めた牛乳に卵白と乳酸菌を添加し、外部からの熱を加え乳酸発酵を開始する。一定期間の発酵過程を終えることで、各種のアミノ酸成分と低分子ペプチドが含まれる物質が形成する。さらに、形成された物質の水分を過熱及び自然天日乾燥を用いて、乾燥することで固体形状に変化した物質を、ミキサー（粉砕機）を用いて粉末状態にすることで、特許請求１の本発明物質が形成される。
次に、特許請求２の液体物質は、上記に示したと、同じ方法で乳酸発酵から、生成された物質に発酵抑制剤を添加した液体物質である。したがって、特許請求１と２は粉末状態と液体状態の違いである。
［産業上の利用の可能性］【０００８】  本方法の特徴は、農業生産分野と発酵乳製造分野が一体化した性質を持っています。したがって、農業分野には、アミノ酸と低分子ペプチド成分が植物の成長に利用され、発酵乳産業には、余剰牛乳の消費拡大に繋がる特長を持っています。
(57)【要約】【課題】車両用ごみ箱で乗用車の床上の僅かなスペースでも設置でき、走行中の揺れや振動でも転倒せず、また、車内に持ち込んだ雨傘も素早く簡単に収納できることを課題とする。【解決手段】ごみ箱の下部に重石を設けて重心を低くして、さらに、容器の上部に倒立円錐状で真中にごみ投入口のある蓋を設ける、そして、ごみ箱容器の底の真中に円形の窪みを設けることで解決する。【選択図】図６
2007308301.tif 000002
【特許請求の範囲】
【請求項１】
ごみ箱の下部に重石を設け、容器と重石を一体に構成するとともに、容器に倒立円錐状で真中に投入口のある蓋を設ける、さらに、容器の底の真中に円形の窪みを設けたことを特徴とする、傘立て機能付き車両用ごみ箱である。
【請求項２】
ごみ箱の容器と環状の重石をセパレートで構成して、環状の重石をごみ箱より着脱が容易にできることを特徴とする、傘立て機能付き車両用ごみ箱である。
【発明の詳細な説明】
【技術分野】
【０００１】本発明は、車両内に設置するごみ箱で車の走行中の揺れや振動で、ごみ箱が転倒するのを防止した、傘立て機能付き車両用ごみ箱に関する。
【背景技術】
【０００２】従来は、一般家庭用のごみ箱が使用されている。
【発明の開示】
【発明が解決しようとする課題】
【０００３】従来から、車両内で使用されるごみ箱は一般には家庭用ものが使用されているが、軽量であるため走行中の揺れや振動でごみ箱が転倒することがあり不便である、また、雨降り時の車内で傘の置き場所に困惑し、傘から垂れる雨露で車内の床や座席を濡らす不都合を解決することを課題とする。
【課題を解決するための手段】
【０００４】この課題を解決するための請求項１の発明は、ごみ箱の下部に重石を設け、容器と重石を一体に構成するとともに、容器に着脱自在の倒立円錐状で真中にごみ投入口のある蓋を設ける、また、容器の底の真中に円形の窪みを設け、さらに、滑り止めにごみ箱の底の裏面は粗面にする。【０００５】請求項２の発明は、ごみ箱の容器と環状の重石がセパレートで構成し、ごみ箱より環状の重石を簡単に取り外すことができることを特徴とする。
【発明の効果】
【０００６】本発明のごみ箱は、普段はごみ箱として乗用車の助手席又は後部座席の床上の平面に設置することができ、走行中の揺れや振動でも転倒することなく安定して設置できる。【０００７】また、雨天の日は予め容器内のごみは投棄して空の状態にしたごみ箱に、濡れた傘をごみ投入口に挿入し、さらに、容器の底の窪みに傘の先端石突を差し入れることで傘は略直立に固定できる、このようにすると、ごみ箱の重心が低いため柄の長い傘でも安定して走行中の揺れや振動でも転倒せず、傘の雨露も倒立円錐状の蓋の投入口に流れ込み、傘立てとしての機能を発揮する。【０００８】本発明のごみ箱は、容器と環状の重石をセパレートに構成することで、ごみ箱より環状の重石を簡単に取り外すことができ、容器内のごみ又は雨水を手軽に投棄できる。【０００９】また、本発明のごみ箱は、重心が低く容易に転倒しないため、家庭内での使用でも幼児や犬猫のいたずらによる転倒防止になり便利である。
【発明を実施するための最良の形態】
【０００１０】図１、図２に示すように、ごみ箱の下部に液体又はモルタル等の重石材を約２．５〜３ｋｇ充填した重石（１）を設け、容器と重石が一体に構成したごみ箱で、さらに、容器に着脱自在の倒立円錐状で真中に傘が２〜３本入る程度の投入口（２）のある蓋（３）を設ける、また、容器の底の真中に口径約５ｃｍの円形で深さ約３〜５ｃｍの窪み（４）を設け、さらに、滑り止めにごみ箱の底の裏面を粗面にしたことを特徴とする。【０００１１】図３、図４に示すように、ごみ箱の容器と環状の重石（５）がセパレートで構成し、ごみ箱より環状の重石（５）を着脱自在にしたことを特徴とする。【０００１２】図７に示すように、請求項１のごみ箱で、さらに転倒防止を強化するためにごみ箱の下部に鍔（６）を設けたことを特徴とする。
【図面の簡単な説明】
【０００１３】
【図１】請求項１のごみ箱で、下部に重石材を充填した重石（１）と、ごみを収納する容器が一体に構成したごみ箱で、さらに、容器にごみの投入口（２）のある蓋（３）を設けたごみ箱の斜視図である。
【図２】請求項１のごみ箱の縦断面図である。
【図３】請求項２のごみ箱で、重石材を充填した環状の重石（５）をごみ箱の上部より嵌め込んだ状態のごみ箱の斜視図である。
【図４】請求項２のごみ箱の縦断面図である。
【図５】請求項２のごみ箱より取り外された環状の重石（５）である。
【図６】傘をごみ箱に立てかけた状態の斜視図である。
【図７】請求項１のごみ箱で、底部分に鍔（６）を設けたごみ箱の斜視図である。
【符号の説明】
【００１４】  １      重石
２      投入口
３      蓋
４      窪み
５      環状の重石
６      鍔
【図１】
2007308301.tif 000003
【図２】
2007308301.tif 000004
【図３】
2007308301.tif 000005
【図４】
2007308301.tif 000006
【図５】
2007308301.tif 000007
【図６】
2007308301.tif 000008
【図７】
2007308301.tif 000009
(57)【要約】      （修正有）【課題】男性用シャツ、女性用シャツ（ワイシャツ、カジアルシャツ、形状安定シャツ、ストレッチシャツ等）の襟元のボタンを留めない状態だと襟元が動きに対して乱れるのを装身具も兼ねて、ある一定襟元が開かないようにして、乱れをなくすることが出来又アクセントをつける事。【解決手段】男性用シャツ、女性用シャツ（ワイシャツ、カジアルシャツ、形状安定シャツ、ストレッチシャツ等）の襟元のボタンを留めないで開放した状態でも襟元が乱れることがなく襟元を繋ぐ鎖とで一定以上シャツの上部が開かないようにして襟元が型崩れしないようにする又鎖の長さを調整出来るように襟元の片方の鎖数個を少し大きめにして襟元の幅を鎖で調整出来るようにし又アクセサリを兼ねた装身具としても提供できる。【選択図】図１
2007031920.tif 000002
【特許請求の範囲】
【請求項１】
男性用女性用シャツ（ワイシャツ、カジアルシャツ、形状安定シャツ、ストレッチシャツなど）襟元の最上部ボタンに取り付ける開閉可能なボタンカバー装身具本体（表面に装飾を施した円形半球体本体と同じく内部空洞を有する円形裏蓋で形成され円形半球体と円形裏蓋とをヒンジにて枢動可能に接続し中にシャツに付いたボタンを収納出来る空間を設けた）と最上部ボタン穴を利用して止める装身具とを襟元で繋ぐ鎖とで一定以上シャツの上部が開かないようにして襟元が型崩れしないようにする又鎖の長さを調整出来るように襟元の片方の鎖数個を少し大きめにして襟元の幅を鎖で調整出来るようにしたアクセサリを兼ねた装身具。
【発明の詳細な説明】
【技術分野】
【０００１】本発明は男性用女性用シャツの襟元の乱れを少なくし又装身具を兼ねて設けたものである。
【背景技術】
【０００２】従来の男性用女性用シャツの襟元はボタンを留めないで襟元を開けた時襟元が乱れやすいので襟元がある一定以上開かない様にすること、又装身具としても兼ねることが出来る様にしたものである。
【発明の開示】
【発明が解決しようとする課題】
【０００３】従来の男性用女性用シャツの襟元はボタンを留めないで襟元を開けた時襟元が乱れやすくなり、乱れるとだらしなく見える様になる。
【課題を解決するための手段】
【０００４】以上の課題を解決するために、本発明はシャツの襟元に装身具の鎖を設けて襟元の開口幅をある一定幅以上に広がらないようし装身具として兼ねる事である。
又鎖の片方の留め穴を数個設けて襟元の開口幅を調整できる様にし装身具とすることである。
【発明の効果】
【０００５】本発明により、シャツの襟元に装身具の鎖を設けたことにより襟元の乱れをある一定抑える事も出来適当な襟元の開口幅の調整もでき、装身具としても兼ねることができる。
【発明を実施するための最良の形態】
【０００６】この発明の実施形態を、図１に示す。
シャツ襟元の装身具は（装身具表面飾り部分が金属製、プラスチック、自然石、貝類、布等を加工して装身具としたもの）を使用する。
【実施形態の効果】
【０００７】この実施形態によれば、装身具に鎖を使用すれば襟元の開口幅がある一定に調整でき動きに対して崩れることが少なく装身具としても維持できる。
【図面の簡単な説明】
【０００８】
【図１】  本発明（請求項１）を示す図である。
【図２】  襟元両端部及び最上部ボタン、ボタン穴を示す。（男性用、女性用は左右対称）
【図３】  本発明の（請求項１）の装身具の表面を示す。
【図４】  本発明の（請求項１）の装身具の裏面を示す。
【図５】  本発明の（請求項１）の装身具の断面を示す。
【図６】  ボタン穴を利用して装身具の取り付けをした図を示す。
【図７】  円形半球体本体と円形裏蓋を接続するヒンジ詳細。
【符号の説明】
【０００９】    １  シャツ最上部ボタン穴
２  シャツ最上部ボタン
３  シャツ
４  シャツ最上部ボタン穴に装身具（図６）をカウスボタンのようにボタン穴にさしこみ裏側で折り曲げて固定する。（表面は装身具として加工）
５  シャツ最上部ボタンを利用して装身具で留める。（表面は装身具として加工）
６  （図１）の４と５を鎖で繋ぐ。
７  襟元の片方数個を少し大きめの鎖にして襟元の幅を鎖で調整出来るようにする。
８  シャツのボタンを留めてある糸。
【図１】
2007031920.tif 000003
【図２】
2007031920.tif 000004
【図３】
2007031920.tif 000005
【図４】
2007031920.tif 000006
【図５】
2007031920.tif 000007
【図６】
2007031920.tif 000008
【図７】
2007031920.tif 000009
(57)【要約】【課題】  防炎性に優れ、型際が良好で、品質のよいインクジェット捺染を可能とする、インクジェット捺染用布帛の前処理剤を提供する。  【解決手段】  固形分で、防炎剤１３．０〜２０．０重量％と水溶性糊剤０．３〜２．３重量％を含有する水性組成物を、ポリエステル布帛に、インクジェット捺染可能な、防炎性を付与するための前処理剤とする。この前処理剤は、ポリエステル布帛に、乾燥重量で３〜２５ｇ／ｍ２ の割合で塗布するのがよい。【選択図】  なし【特許請求の範囲】
【請求項１】
固形分で、防炎剤１３．０〜２０．０重量％と水溶性糊剤０．３〜２．３重量％を含有する水性組成物からなることを特徴とするポリエステル布帛に、インクジェット捺染可能な、防炎性を付与するための前処理剤。
【請求項２】
前記防炎剤がハロゲン系防炎剤を主体とするものである請求項１の前処理剤。
【請求項３】
前記防炎剤がハロゲン化シクロアルカン化合物である請求項1の前処理剤。
【請求項４】
前記水溶性糊剤がポリアクリル酸、ポリアクリルアミド、ポリビニルアルコール、ＣＭＣ及びその誘導体、澱粉類、グアガム、アルギン酸ソーダ、タマリンドガム及びローカストガムからなる群から選ばれる少なくとも一種である請求項１〜３いずれか１項の前処理剤。
【請求項５】
ポリエステル布帛に、請求項１〜４いずれか２項の前処理剤を乾燥重量で３〜２５ｇ／ｍ２ の割合で塗布してなることを特徴とする防炎性を有するインクジェット捺染用布帛。
【発明の詳細な説明】
【技術分野】
【０００１】
本発明は、防炎剤を含むインクジェット捺染用布帛の前処理剤及びそれを使用した製品に関する。
【背景技術】
【０００２】
従来、ポリエステル布帛に難燃性を付与するためには、防炎剤混合液を浸漬処理し、乾燥後、熱処理し、ソーピング、水洗・乾燥という工程を実施する必要があり、このようにして処理した布帛に、インクジェット捺染すると絵柄がブリードし易く、問題となっていた。
【０００３】
また、別途、特許文献１に示されるように、防炎剤を含む捺染糊を印刷するという方法が実施されていたが、捺染に使用する個々の色糊に、それぞれ防炎剤を添加混合する必要があり、非常に手数がかかるものであり、また、この場合、防炎剤を含む色糊を印刷しない箇所には、防炎性が付与できないので、別に防炎剤を含む無色の糊を準備し、これに印刷する必要があり、実用化し難いものであった。
【特許文献１】特開平１１-１８７０号公報
【発明の開示】
【発明が解決しようとする課題】
【０００４】
本発明は、防炎性に優れ、型際が良好で、品質のよいインクジェット捺染を可能とする、インクジェット捺染用布帛の前処理剤を提供することを課題とする。
【課題を解決するための手段】
【０００５】
本発明者らは、上記課題を解決するために鋭意、検討を重ねた結果、特定の防炎剤と糊剤を組み合わせて使用することにより、所望の効果が得られることを見出し、本発明を完成した。
【０００６】
本発明では、固形分で、防炎剤(又は難燃剤）１３．０〜２０．０重量％と水溶性糊剤０．３〜２．３重量％を含有する水性組成物を、ポリエステル布帛に、インクジェット捺染可能な、防炎性を付与するための前処理剤とする。
【０００７】
防炎剤としては、繊維処理用として市販されるもの、例えば燐酸エステル、ハロゲン系燐酸エステル、ハロゲン系有機化合物、チオ尿素、スルファミン酸アンモニウム、燐酸グアニジン、ポリ燐酸アンモニウム、硫酸アンモニウム等がいずれも使用できるが、クロロエチルホスホン酸エステル、トリクレジルホスフェート、テトラブロモビスフェノールＡ又はその誘導体、トリス（２，３ジブロモプロピル）イソシアヌレート、ハロゲン化シクロアルカン類などが一般に好適に使用でき、特に、ハロゲン系防炎剤、例えばヘキサブロモシクロドデカン、テトラブロモシクロオクタン等のハロゲン化シクロオクタン化合物を使用するのが好ましい。
【０００８】
また、水溶性糊剤としては、ポリアクリル酸、ポリアクリルアミド、ポリビニルアルコール、ＣＭＣ及びその誘導体、澱粉類、グアガム、アルギン酸ソーダ、タマリンドガム及びローカストガムからなる群から選ばれる少なくとも一種を使用するのが好ましい。
【０００９】
かかる前処理剤は、パッディング法、浸漬法、スプレー法、その他各種コーティング法で、ポリエステル布帛に、塗布し、乾燥すればよいが、この際、この前処理剤のポリエステル布帛への付着量は、乾燥重量で３〜２５ｇ／ｍ２ となるようにするのがよい。
【００１０】
本発明の前処理剤において、防炎剤の量が２０重量％を越して多く成りすぎると、処理布の風合いが悪くなり、逆に、１３重量％より少なくなると、所望の防炎効果を得難くなる。また、水溶性糊剤が少なすぎると、インクジェット捺染における染着性が悪くなり、逆に、２．３重量％を越して多くなりすぎると、防炎剤を適当量使用しても、所望の防炎効果を得ることができなくなる。
【００１１】
なお、前処理剤の布帛への塗布量（乾燥重量で３〜２５ｇ／ｍ２）は、後のインクジェット捺染時に、確実に染液が滲みなく、鮮明に染着するための条件である。塗布量が少なすぎると、防炎効果に問題があり、多すぎると、染着性及び／又は風合いに問題が生じる。
【発明の効果】
【００１２】
本発明の前処理剤は、インクジェット捺染を施す前の布帛に、簡単に適用でき、布帛全体を、その後のインクジェット捺染によって、耐久性よく防炎性を発揮する鮮明な捺染布とすることができる。即ち、布帛に一度に有効な防炎性を付与でき、しかも、インクジェット捺染の染液組成物としては、通常のものがいずれも使用可能となる。
【発明を実施するための最良の形態】
【００１３】
次に、本発明の実施例を示す。
防炎剤として、ヘキサブロモシクロドデカンを使用し、水溶性糊剤としてカルボキシメチルセルロース（ＣＭＣ）を使用し、表１に示すような組成からなる１３種類の前処理剤を製造した。各成分の割合は重量％を示す。
【００１４】
ポリエステルタフタに、これらの前処理剤を乾燥重量で８ｇ／ｍ２となるように塗布し、１２０℃で２〜３分間、乾燥し、得られた布帛に、分散染料を用いてインクジェット捺染し、１９０〜２００℃で１〜２分間、熱処理し、水洗・脱糊、ソーピング、水洗・乾燥した。得られた製品の風合い、防炎性、染着性を比較試験した結果を、表１に示す。
【００１５】
【表１】
2007031905.tif 000002
【００１６】
本発明に従ったＮｏ．３，４，８〜１１の前処理剤では、風合い、防炎性及び染着性いずれも良好な製品を得ることができた。しかし、防炎剤が少ないＮｏ．１〜２の前処理剤及び水溶性糊剤の使用量が多いＮｏ．１２〜１３では、十分な防炎性を得ることができず、また、防炎剤が多いＮｏ．５〜６では風合いのよい製品を得ることができず、更に水溶性糊剤を使用しないＮｏ．７では、良好な染着性を得ることができなかった。
(57)【要約】      （修正有）【課題】歩行者がガードレールの突起物に接触してケガをすることを防ぎ、車両による接触に伴うガードレールの継ぎ目に車体の一部がはさまることを防ぐガードレール。【解決手段】ガードレールAとガードレールBを接合するガードレール端部を重なりやすくする為にC部に２箇所の曲げを入れるとともに、２枚のガードレールを連結する為のボルトの位置をガードレール山型の横部分に取り付ける。【選択図】図１
2007031986.tif 000002
【特許請求の範囲】
【請求項１】
ガードレールをつなぐ場合、ガードレールの片方先端に近いところの部分図１のCの部分に、曲げ加工を２箇所施し、図１のガードレールBの先端部が道路上に突起しない構造を特徴とし、ガードレールを複数つなぐ場合のボルトの位置をガードレール山型の山形横部分に設置することをとしたガードレール。
【発明の詳細な説明】
【技術分野】
【０００１】
本発明は、道路におけるガードレール接続部の突起物により、通行人、の身体を擦り傷、切り傷等ケガをしない為の構造を持つガードレールである。
【背景技術】
【０００２】
現在のガードレールはガードレールを複数接続する場合接合部は２枚のガードレール端を重ねてボルトナットで固定している、この接続方法である以上必ず一方のガードレールの端が道路側に突起する、又現在のボルトの位置はガードレール山形の凸部分に取り付けてある為ガードレールに歩行者、自転車等が接触した場合、ガードレールの突起によりケガをしてしまう。
【特許文献１】特開平１０−１８３５４６号公報
【発明の開示】
【発明が解決しようとする課題】
【０００３】
現在のガードレールはガードレールを複数接続する場合接合部は２枚のガードレール端を重ねてボルトナットで固定している、この接続方法である以上必ず一方のガードレールの端が道路側に突起する、又現在のボルトの位置はガードレール山形の凸部分に取り付けてある為ガードレールに歩行者、自転車等が接触した場合、ガードレールの突起によりケガをしてしまう。
【課題を解決するための手段】
【０００４】
ガードレールの先端に、図１のＣの部分に２箇所、曲げを付けることにより２枚のガードレールの重なりが良くなり道路に面したガードレールのつなぎ目部分が突起せず滑らかにすることが出来その結果、歩行者、自転車などがガードレールに接触しても怪我をしなくなる。
【０００５】
ガードレールを複数つなぎ合わせる場合、従来は接続する為のボルトの位置が凸部分にあり、歩行者、時短者などが接触した場合ケガをすることがあった為、ボルトの位置を図２取り付けボルト、に示すようにガードレール山形の横部分に設置することとした。
【発明の効果】
【０００６】
上記０００３、０００４をガードレールに施すことでガードレールの突起部分をなくすことが出来る、その結果、歩道者、自転車などの歩行中のガードレールに接触してのケガは無くなります。又、自動車がガードレールに接触した時に自動車のボディーの一部がガードレールの継ぎ目の隙間、にはさまることがなくなります。このことでも歩行者、自転車のガードレール接触によるケガを防ぐことが出来る。
【図面の簡単な説明】
【０００７】
【図１】本発明品の安全ガードレールを真上から見た図。
【図２】本発明品の安全ガードレールを設置した図。
【符号の説明】
【０００８】
図１のＣ  安全ガードレールの曲げ場所と曲げの図。
【図１】
2007031986.tif 000003
【図２】
2007031986.tif 000004
(57)【要約】【課題】ヨガやストレッチでポーズを決めるときに手足が滑らず、つかみ易いようにして、独りでも上達を早めることができるものを提供する。【解決手段】手袋、靴下、肘及び膝サポーター（極端に言えば，服全体に）に滑り止めを付け（現在のところ、塩化ビニールの点のくまなく付いたものが適当かと思われる）安価にして効果的な手段を得たことを特徴とする。【選択図】図１
2007031922.tif 000002
【特許請求の範囲】
【請求項１】
ヨガおよびストレッチのときに手，足、肘、膝、等に、滑り止め付き（塩化ビニールが今のところ最適かと思う）手袋、靴下、肘、膝用サポーターがあればより早くポーズを決められるようになり効果的な健康生活が期待できる。
【発明の詳細な説明】
【発明の詳細な説明】
【請求項１】
手袋，靴下、肘，膝用サポーターに出来るだけくまなく現在市販の滑り止め手袋と同じように塩化ビニールの点を付けたものを作りセットで提供する。
【技術分野】
【０００１】この発明は、滑り止めを従来の手袋だけでなく、靴下や肘、膝用サポーターにも付けることにより、飛躍的な効果を生み出すものである。
【背景技術】
【０００２】従来は、このてのものは無かったかと思われる。
【発明が解決しようとする課題】
【０００３】ヨガやストレッチ等を行うとき、特に複雑なポーズ（鳩のポーズ等）に挑戦するときどうしても、あとちょっとのところで手や足がつかめなかったり、すぐ滑ってしまい、大変な苦労をする。誰かに手伝ってもらえればよいが、普通独りで行うのでなおさらである。しかし昨今のヨガ、ストレッチブームから見ても、健康、美容、精神生活に大変に効果があることは明白である。そして、このセットを使う事により、難しいポーズが飛躍的に早くできるようになる。完璧に独りでできるようになるまでのビギナーズ用グッズとしても、大変に価値のあるものである。
本発明は、以上の理由から考案した。
【課題を解決するための手段】
【０００４】もう少しのところで手足がつかめなかったり、滑ってしまったりして悔しい思いをするので、兎に角やっとくっついた手足は絶対に滑らないようにと考え、すべてに滑り止めが付いていれば可能との結論に達した。
【発明を実施するための最良の形態】
【０００５】以下、本発明の実施の形態について説明する。
材質は何で有れ、滑らないもの（現時点では塩化ビニールの点がくまなく付いたものが一番適当かと思われる）を手袋、靴下、肘及び膝サポーターにくまなく付けておく
【発明の効果】
【０００６】昨今のマシーンを使うよりずっと簡単に安価にて効果が上がる。
【図面の簡単な説明】
【図１】本発明のパーツ図である。
【図２】本発明を使った、ヨガのポーズの一例である。
【図１】
2007031922.tif 000003
【図２】
2007031922.tif 000004
(57)【要約】【課題】  ゴルフ、野球、テニス、自転車、バイクあるいは釣り等の際に着用するスポーツ手袋の甲側に指側から手首にかけて引っ張り強さを調整することが出来るようになった手袋を提供する。【解決手段】  手袋本体の甲側の指側から手首にかけて引っ張ることが出来るように伸縮性のある織ゴムと面ファスナーＡを縫着し、手首側のベルトに縫着した面ファスナーＢに引っ張り強さを調整しながら固定できるようにした。【選択図】  図１
2007031921.tif 000002
【特許請求の範囲】
【請求項１】
人工皮革、合成皮革、天然皮革を主体として構成し、甲部の指側から手首側に伸縮性のある織ゴムと面ファスナーＡとで手首側のベルト片に縫着した、面ファスナーＢに引張り強さを調節出来るように固定できることを特徴とするスポーツ手袋。
【発明の詳細な説明】
【技術分野】
【０００１】  本発明は、ゴルフ、野球、テニス、自転車、バイクあるいは釣りの際に着用するスポーツ手袋の甲部の指側から手首にかけて引張ることのできるように伸縮性のある織ゴムと面ファスナーＡを手首のベルトに逢着した面ファスナーＢに引張り強さを調整しながら固定できるて手袋に関する。
【背景技術】
【０００２】  近年ゴルフ、野球、テニスではより遠くへ、力強い打球を飛ばすことが要求されているが、従来は面ファスナーを小指側から親指側に横に引張る形式のグローブが多く、パワーをゴルフクラブ、野球バット、テニスラケットに伝えることが難しいかった。
【発明の開示】
【発明が解決しようとする課題】
【０００３】  本体図１の甲側には厚さ２ｍ／ｍ程度のクロロプレーンゴム（通称  ネオプレイン）図１−２を補強のため逢着してある。また、通気性と関節動作をよくするために４つの穴を開けてある。【０００４】  手袋の甲側の指の方から手首にかけて引っ張ることが出来るように伸縮性のある織ゴム図１−３と面ファスナーＡ図１−４を連結させるように縫着する。【０００５】  面ファスナーＡと連結していない側の伸縮性のある織ゴム図１−３の端を手袋本体の甲側に補強してあるクロロプレインゴム図１−２に縫着する。【０００６】  手首部分は手首が締る方向に伸縮性のある織ゴム、或いは織テープのベルト図１−６、図２−６をジグザグミシンで本体の裾部に縫着してある。【０００７】  裾部に縫着したベルトは手首を１周して面ファスナーＡ図２−８と面ファスナーＢ図２−７とで掌部側で固定する。【０００８】  本体甲のベルト側にはクロロプレインゴム（通称ネオプレインゴム）図１−９を補強縫着してある。【０００９】  裾ベルトと本体に補強したクロロプレインゴムの上に面ファスナーＢ図１−１０を縫着してある。【００１０】  指側から伸縮性のある織ゴム図１−３と面ファスナーＡ図１−４を引っ張り、強さを調整しながら手首側の面ファスナーＢ図１−１０に固定する。
【課題を解決するための手段】
【００１１】  織ゴム図１−３の引っ張り強さを調整することにより手首の折れ方が調整でき、ゴルフクラブ、野球バット、テニスラケットへのパワーを的確に伝えることが出来ることを特徴としたスポーツ用手袋である。
【発明の効果】
【００１２】  ゴルフに例えれば織ゴム図１−３の引っ張り強さを調整することにより、ドローボール、フェードボールを打ち分けることが出来る。【００１３】  初心者が正しいグリップでゴルフクラブ、野球バット、テニスラケットを握ることが出来る。
【発明の実施するための最良の形態】
【００１４】  手袋の甲側本体部分図１−１は天然皮革、合成皮革、人工皮革、或いは伸縮機能を有する布綿等を使用してもよい。図１−１は本体甲側に伸縮機能を有する布綿を用いた。
【００１５】  手袋の掌側本体部分図２−１１は天然皮革、合成皮革、人工皮革を使用してもよい。
【００１６】  掌部の親指と掌部本体の付け根周り図２−１０には甲部本体の伸縮性機能を有する布綿を用い親指がつっぱることもなく楽にグリップすることが出来る。
【００１７】  手首のベルト部分図１−６、図２−６は伸縮性のある織ゴム、織テープ或いは本体と同素材の天然皮革、人工皮革、合成皮革を使用してもよい。
【図面の簡単な説明】
【００１８】
【図１】  本発明はシュアグリップグローブの甲側を示す平面図である。
【図２】  シュアグリップグローブ掌側を示す平面図である。
【図３】  シュアグリップグローブ甲側立体図である。
【図４】  シュアグリップグローブ掌側立体図である。
【符号の説明】
【００１９】  １  本体素材
図１−１は本体甲部は伸縮機能を有する布綿。
図２−１１は本体掌部は合成皮革。
図１−１１Ａの人差し指は掌部の本体が人差し指の甲側の半分位まで続いている。
図１−１１Ｂの親指部は掌部の合成皮革が親指の甲側の半分位まで続いている。
図２−１Ｃの親指と本体の付け根周りは甲側の本体図１−１が続いている。
２  プロロプレインゴム（通称ネオプレイン）
３  伸縮性のある織ゴム
４  面ファスナーＡ
５  織ゴムの切端は折り返して図１−２のクロロプレインゴムに縫着している。
６  手首ベルト
７  面ファスナーＢ
８  面ファスナーＡ
９  クロロプレインゴム（通称ネオプレインゴム）
１０  面ファスナーＢ
１１  本体掌部は合成皮革
【図１】
2007031921.tif 000003
【図２】
2007031921.tif 000004
【図３】
2007031921.tif 000005
【図４】
2007031921.tif 000006